(57)【要約】【課題】実用上利用可能なサイホン現象を利用した金属溶湯の移送装置と方法を提案する。【解決手段】給湯容器に収容されている溶湯の中に吸引口が挿入されていて他端側が上方向に延びる吸入管と、受湯容器に収容されている溶湯の中に吐出口が挿入されていて他端側が上方向に延びる吐出管と、吸入管の他端側に一方の管の上側が接続され、吐出管の他端側に他方の管の上側が接続されるＵ字管とを備えた金属溶湯の移送装置を用い、吸入管の他端側とＵ字管の一方の管の上側との接続部の上部と、吐出管の他端側とＵ字管の他方の管の上側との接続部の上部とをそれぞれ給湯容器及び受湯容器に収容されている金属溶湯が受けている圧力よりも圧力が低い負圧状態に維持し、給湯容器から該給湯容器に収容されている溶湯の液面よりも収容されている溶湯の液面が低い受湯容器ヘサイホン現象を利用して金属溶湯を移送する。【選択図】図１１
2007061906.tif 000002
【特許請求の範囲】
【請求項１】
給湯容器から該給湯容器に収容されている溶湯の液面よりも収容されている溶湯の液面が低い受湯容器ヘサイホン現象を利用して金属溶湯を移送する移送装置であって、
前記給湯容器に収容されている溶湯の中に吸引口が挿入されていて他端側が上方向に延びる吸入管と、
前記受湯容器に収容されている溶湯の中に吐出口が挿入されていて他端側が上方向に延びる吐出管と、
前記吸入管の他端側に一方の管の上側が接続され、前記吐出管の他端側に他方の管の上側が接続されるＵ字管と、
前記吸入管の他端側とＵ字管の一方の管の上側との接続部の上方に開閉手段を介して接続されている第一の吸引手段と、
前記吐出管の他端側とＵ字管の他方の管の上側との接続部の上方に開閉手段を介して接続されている第二の吸引手段と
を備えてなる金属溶湯の移送装置。
【請求項２】
給湯容器から該給湯容器に収容されている溶湯の液面よりも収容されている溶湯の液面が低い受湯容器ヘサイホン現象を利用して金属溶湯を移送する移送装置であって、
前記給湯容器に収容されている溶湯の中に吸引口が挿入されていて他端側が上方向に延びる吸入管と、
前記受湯容器に収容されている溶湯の中に吐出口が挿入されていて他端側が上方向に延びる吐出管と、
吸入管の前記他端側と、吐出管の前記他端側との間を連結する移送管路と、
当該移送管路の内部を大気圧より圧力が低い所定の負圧状態に維持する負圧維持機構が当該移送管路に接続されている
ことを特徴とする金属溶湯の移送装置。
【請求項３】
少なくとも前記吸入管における前記他端側の流路断面積が、前記吐出管の流路断面積より大きいことを特徴とする請求項２記載の金属溶湯の移送装置。
【請求項４】
前記移送管路に、前記移送管路内を流動する金属溶湯の湯面高さを検知する湯面高さ検知手段が備えられており、当該湯面高さ検知手段で検知した前記移送管路内を流動する金属溶湯の湯面高さに応じて、前記負圧維持機構によって維持する前記移送管路の内部の負圧の状態を制御することを特徴とする請求項２又は３記載の金属溶湯の移送装置。
【請求項５】
給湯容器から該給湯容器に収容されている溶湯の液面よりも収容されている溶湯の液面が低い受湯容器ヘサイホン現象を利用して金属溶湯を移送する方法において、
前記給湯容器に収容されている溶湯の中に吸引口が挿入されていて他端側が上方向に延びる吸入管と、前記受湯容器に収容されている溶湯の中に吐出口が挿入されていて他端側が上方向に延びる吐出管と、前記吸入管の他端側に一方の管の上側が接続され、前記吐出管の他端側に他方の管の上側が接続されるＵ字管とを備えた金属溶湯の移送装置を用い、
前記吸入管の他端側とＵ字管の一方の管の上側との接続部の上部と、前記吐出管の他端側とＵ字管の他方の管の上側との接続部の上部とをそれぞれ給湯容器及び受湯容器に収容されている金属溶湯が受けている圧力よりも圧力が低い負圧状態に維持し、前記吸入管、Ｕ字管、吐出管を介して給湯容器から受湯容器ヘサイホン現象を利用して金属溶湯を移送する方法であって、
前記吐出管の他端側とＵ字管の他方の管の上側との接続部の上部における負圧の方を、前記吸入管の他端側とＵ字管の一方の管の上側との接続部の上部における負圧よりも圧力が低い状態に維持して、
前記吸入管、Ｕ字管、吐出管を介して給湯容器から受湯容器ヘサイホン現象を利用して金属溶湯を移送する
ことを特徴とする金属溶湯の移送方法。
【請求項６】
請求項１に記載の金属溶湯の移送装置を用いて、
前記吐出管の他端側とＵ字管の他方の管の上側との接続部の上方を閉鎖したまま、前記第一の吸引手段を作動させて前記給湯容器の溶湯を吸引することにより、溶湯が少なくとも前記Ｕ字管の底部を越えて、前記Ｕ字管の他方の管の下側にまで存在するようにし、この状態で前記第一の吸引手段による吸引を停止して、前記吸入管の他端側とＵ字管の一方の管の上側との接続部の上方を負圧状態のまま閉鎖し、
引き続いて、前記第二の吸引手段を作動させて前記吐出管を介して前記受湯容器の給湯を吸引すると共に、Ｕ字管の他方の管及び、Ｕ字管の一方の管、吸入管の他端側とＵ字管の一方の管の上側との接続部、吸入管を介して前記給湯容器から溶湯を吸引し、吸入管、吸入管の他端側とＵ字管の一方の管の上側との接続部、Ｕ字管の一方の管、Ｕ字管の他方の管、吐出管の他端側とＵ字管の他方の管の上側との接続部、吐出管内を介して前記給湯容器から前記受湯容器まで溶湯を連続させ、
ここで前記第二の吸引手段による吸引を停止して、前記吐出管の他端側とＵ字管の他方の管の上側との接続部の上方を負圧状態のまま閉鎖し、
前記吸入管の他端側とＵ字管の一方の管の上側との接続部の上方を負圧状態に維持すると共に、前記吐出管の他端側とＵ字管の他方の管の上側との接続部の上方を負圧状態に維持して、
前記給湯容器から前記受湯容器ヘサイホン現象により溶湯を移送することを特徴とする金属溶湯の移送方法。
【請求項７】
給湯容器から該給湯容器に収容されている溶湯の液面よりも収容されている溶湯の液面が低い受湯容器ヘサイホン現象を利用して金属溶湯を移送する方法において、
請求項２乃至請求項４のいずれか一項記載の金属溶湯の移送装置を用い、
前記移送管路の内部を大気圧より圧力が低い所定の負圧状態に維持して、
前記給湯容器から前記受湯容器ヘサイホン現象により溶湯を移送することを特徴とする金属溶湯の移送方法。
【発明の詳細な説明】
【技術分野】
【０００１】
本発明は、アルミニウム溶湯のような高温の金属溶湯を所定の給湯容器から所定の受湯容器へ移送する金属溶湯の移送装置及び移送方法に関し、特にサイホン現象を利用した移送装置及び移送方法に関するものである。
【背景技術】
【０００２】
従来高温の金属溶湯の移送については、例えば溶融炉から金属溶湯を取鍋に取り、鋳型等に注ぎ込んだり、あるいは溶融炉の底部の栓を技いて溶湯を落下させるなどの手段によっていた。しかしこのような移送は、高温である金属溶湯の性質上危険であると共に、金属溶湯が大気に直接触れることから、酸化されやすく品質の低下をも引き起こしていた。
【０００３】
そこで上記問題点を解決するために、吸入管及び吐出管と密閉留槽との間に直立の縦Ｕ字管をそれぞれ連設し、これらに不活性ガスの給排手段を連結した金属溶湯ポンプ（特許文献１参照）や、溶湯の吸入管が接続されている密閉貯留槽と移送先との間にＵ字管を連設し、この密閉貯留槽とＵ字管とに不活性ガスの給排手段をそれぞれ連結した金属溶湯ポンプ（特許文献２参照）などが提案されている。
【特許文献１】特開平５−８４５６３
【特許文献２】特開平５−８４５６４
【発明の開示】
【発明が解決しようとする課題】
【０００４】
上記特許文献１及び２に記載の金属溶湯ポンプは、給排気管による加圧及び減圧を利用して金属溶湯を溶融炉から鋳型に移送するものであり、高温の金属溶湯の移送における作業環境の改善を図ると共に空気の侵入を防止することにより、移送中の金属溶湯の酸化を抑制できるものであり、金属溶湯の定量移送に優れた効果を発揮するものであった。
【０００５】
ところで、金属溶湯の移送にあたっては、給湯容器から該給湯容器に収容されている溶湯の液面よりも収容されている溶湯の液面が低い受湯容器ヘサイホン現象を利用して金属溶湯を移送することが試みられている。
【０００６】
しかし、これまで実用上利用可能なサイホン現象を利用した金属溶湯の移送方法と装置は提案されていなかった。
【０００７】
例えば、図１６図示のように、給湯容器１０１から、受湯容器１０２へ耐熱材からなるパイプ１０４を介して、サイホン現象を利用し、金属溶湯（アルミニウム溶湯）１０３を、矢印１０７ａ、１０７ｂ、１０７ｃのように移送しようとする場合、給湯容器１０１に収容されている金属溶湯１０３の液面１０３ａより、受湯容器１０２に収容されている金属溶湯１０３の液面１０３ｂの方が図示のとおり低いので、パイプ１０４に金属溶湯１０３が充満されている状態で給湯容器１０１内の金属溶湯１０３と、受湯容器１０２内の金属溶湯１０３とをパイプ１０４を介して連通させれば、サイホン現象により、パイプ１０４を介して給湯容器１０１から受湯容器１０２へ金属溶湯１０３が移送されるはずである。
【０００８】
しかし、現実には、前述したような理想的なことにはならず、パイプ１０４の符号１０８で示した部分（すなわち、収容されている金属溶湯１０３の液面１０３ｂが、出発側である給湯容器１０１に収容されている金属溶湯１０３の液面１０３ａより低い受湯容器１０２内の金属溶湯１０３内に先端側開口部が挿入されている部分）において不安定な流動が生じ（透明管にして観察すると気体部が生じているところが発生し）、ついには、矢印１０７ａ、１０７ｂで示す流動が不可能になって、金属溶湯１０３が矢印１０７ａのように上昇しなくなる、という結論になっていた。
【０００９】
図１６において符号１０３で表されている部分を金属溶湯ではなく水にし、同様にしてサイホン現象を利用した移送を行えば、同じく、パイプ１０４の符号１０８で示した部分において、流動している水中において気体部が生じ、流動が不安定になることを観察できる。
【００１０】
水の場合には、このようになってもサイホン現象を利用した移送を継続することができるが、金属溶湯の場合には、これは現実には不可能であった。
【００１１】
これは、アルミニウム溶湯のような金属溶湯の方が水よりも比重が大きく、パイプ１０４の符号１０８で示した部分の上端側と、受湯容器１０２内の金属溶湯１０３の液面１０３ｂとの間の高低差に起因する圧力差による流動不安定化要因が大きくなると考えられること、また、パイプ１０４の符号１０８で示した部分に生じた気体部は、高温の金属溶湯によって著しく膨張し、流動を不安定化するためではないかと考えられる。
【００１２】
そこで、サイホン現象を利用した金属溶湯の移送に関しては、高温の金属溶湯の移送における作業環境の改善や、空気の侵入を防止することによる移送中の金属溶湯の酸化抑制を実現する以前に、実用的に、サイホン現象を利用して金属溶湯を移送する方法と装置がこれまで提案されてこなかった。
【００１３】
そこで本発明は、高温の金属溶湯の移送における作業環境の改善を図り、移送中の金属溶湯への空気の侵入を防止することによる金属溶湯の酸化を抑制可能な、実用上利用可能なサイホン現象を利用した金属溶湯の移送装置と方法を提案することを日的にしている。
【課題を解決するための手段】
【００１４】
前記課題を解決するため、発明者は、給湯容器に収容されている溶湯の中に吸引口が挿入されていて他端側が上方向に延びる吸入管と、受湯容器に収容されている溶湯の中に吐出口が挿入されていて他端側が上方向に延びる吐出管と、前記吸入管の他端側に一方の管の上側が接続され、前記吐出管の他端側に他方の管の上側が接続されるＵ字管とを備えた金属溶湯の移送装置を用い、前記吸入管の他端側とＵ字管の一方の管の上側との接続部の上部と、前記吐出管の他端側とＵ字管の他方の管の上側との接続部の上部とをそれぞれ給湯容器及び受湯容器に収容されている金属溶湯が受けている圧力よりも圧力が低い負圧状態に維持し、前記吸入管、Ｕ字管、吐出管を介して給湯容器から受湯容器ヘサイホン現象を利用して金属溶湯を移送するようにし、ここで、前記吐出管の他端側とＵ字管の他方の管の上側との接続部の上部における負圧の方を、前記吸入管の他端側とＵ字管の一方の管の上側との接続部の上部における負圧よりも圧力が低い状態に維持することによって、給湯容器から該給湯容器に収容されている溶湯の液面よりも収容されている溶湯の液面が低い受湯容器ヘサイホン現象を利用して金属溶湯を移送することが可能になることを見出して本発明を完成させたものである。
【００１５】
また、本発明は、給湯容器から該給湯容器に収容されている溶湯の液面よりも収容されている溶湯の液面が低い受湯容器ヘサイホン現象を利用して金属溶湯を移送する移送装置であって、前記給湯容器に収容されている溶湯の中に吸引口が挿入されていて他端側が上方向に延びる吸入管と、前記受湯容器に収容されている溶湯の中に吐出口が挿入されていて他端側が上方向に延びる吐出管と、吸入管の前記他端側と、吐出管の前記他端側との間を連結する移送管路と、当該移送管路の内部を大気圧より圧力が低い所定の負圧状態に維持する負圧維持機構が当該移送管路に接続されている金属溶湯の移送装置を用い、前記移送管路の内部を大気圧より圧力が低い所定の負圧状態に維持して、前記給湯容器から前記受湯容器ヘサイホン現象により溶湯を移送すること可能になることを見出して本発明を完成させたものである。
【００１６】
すなわち、この発明が提案する金属溶湯を移送する方法は、給湯容器から該給湯容器に収容されている溶湯の液面よりも収容されている溶湯の液面が低い受湯容器ヘサイホン現象を利用して金属溶湯を移送するものである。
【００１７】
この方法においては、前記給湯容器に収容されている溶湯の中に吸引口が挿入されていて他端側が上方向に延びる吸入管と、前記受湯容器に収容されている溶湯の中に吐出口が挿入されていて他端側が上方向に延びる吐出管と、前記吸入管の他端側に一方の管の上側が接続され、前記吐出管の他端側に他方の管の上側が接続されるＵ字管とを備えた金属溶湯の移送装置が使用される。
【００１８】
そして、この方法においては、前記吸入管の他端側とＵ字管の一方の管の上側との接続部の上部と、前記吐出管の他端側とＵ字管の他方の管の上側との接続部の上部とをそれぞれ給湯容器及び受湯容器に収容されている金属溶湯が受けている圧力よりも圧力が低い負圧状態に維持し、前記吸入管、Ｕ字管、吐出管を介して給湯容器から受湯容器ヘサイホン現象を利用して金属溶湯が移送される。
【００１９】
そして、このときに、本発明の方法においては、前記吐出管の他端側とＵ字管の他方の管の上側との接続部の上部における負圧の方を、前記吸入管の他端側とＵ字管の一方の管の上側との接続部の上部における負圧よりも圧力が低い状態に維持して、前記吸入管、Ｕ字管、吐出管を介して給湯容器から受湯容器ヘサイホン現象を利用して金属溶湯を移送することを特徴としている。
【００２０】
次に、この発明が提案する金属溶湯を移送する移送装置は、給湯容器から該給湯容器に収容されている溶湯の液面よりも収容されている溶湯の液面が低い受湯容器ヘサイホン現象を利用して金属溶湯を移送するものであって、以下の構成からなるものである。
【００２１】
この金属溶湯の移送装置は、前記給湯容器に収容されている溶湯の中に吸引口が挿入されていて他端側が上方向に延びる吸入管と、前記受湯容器に収容されている溶湯の中に吐出口が挿入されていて他端側が上方向に延びる吐出管と、前記吸入管の他端側に一方の管の上側が接続され、前記吐出管の他端側に他方の管の上側が接続されるＵ字管と、前記吸入管の他端側とＵ字管の一方の管の上側との接続部の上方に開閉手段を介して接続されている第一の吸引手段と、前記吐出管の他端側とＵ字管の他方の管の上側との接続部の上方に開閉手段を介して接続されている第二の吸引手段とを備えているものである。
【００２２】
この本発明の金属溶湯の移送装置において、第一の吸引手段と、第二の吸引手段は、吐出管の他端側とＵ字管の他方の管の上側との接続部の上方における圧力の方が、吸入管の他端側とＵ字管の一方の管の上側との接続部の上方における圧力よりも低く（小さく）なるように制御可能なものである。
【００２３】
この本発明の金属溶湯の移送装置を用いた前記本発明の金属溶湯の移送方法は以下の工程からなるものである。
【００２４】
まず、前記吐出管の他端側とＵ字管の他方の管の上側との接続部の上方を閉鎖したまま、前記第一の吸引手段を作動させて前記給湯容器の溶湯を吸引することにより、溶湯が少なくとも前記Ｕ字管の底部を越えて、前記Ｕ字管の他方の管の下側にまで存在するようにし、この状態で前記第一の吸引手段による吸引を停止して、前記吸入管の他端側とＵ字管の一方の管の上側との接続部の上方を負圧状態のまま閉鎖する。
【００２５】
引き続いて、前記第二の吸引手段を作動させて前記吐出管を介して前記受湯容器の溶湯を吸引すると共に、Ｕ字管の他方の管及び、Ｕ字管の一方の管、吸入管の他端側とＵ字管の一方の管の上側との接続部、吸入管を介して前記給湯容器から溶湯を吸引し、吸入管、吸入管の他端側とＵ字管の一方の管の上側との接続部、Ｕ字管の一方の管、Ｕ字管の他方の管、吐出管の他端側とＵ字管の他方の管の上側との接続部、吐出管内を介して前記給湯容器から前記受湯容器まで溶湯を連続させる。
【００２６】
そして、ここで前記第二の吸引手段による吸引を停止して、前記吐出管の他端側とＵ字管の他方の管の上側との接続部の上方を負圧状態のまま閉鎖し、前記吸入管の他端側とＵ字管の一方の管の上側との接続部の上方を負圧状態に維持すると共に、前記吐出管の他端側とＵ字管の他方の管の上側との接続部の上方を負圧状態に維持して、給湯容器から受湯容器ヘサイホン現象により溶湯を移送するものである。
【００２７】
このような本発明の金属溶湯の移送装置を用いた本発明の金属溶湯の移送方法においても、前述したように、前記吐出管の他端側とＵ字管の他方の管の上側との接続部の上部における負圧の方が、前記吸入管の他端側とＵ字管の一方の管の上側との接続部の上部における負圧よりも圧力が低い状態に維持されて、前記吸入管、Ｕ字管、吐出管を介して給湯容器から受湯容器ヘサイホン現象を利用して金属溶湯が移送されることになる。
【００２８】
更に、この発明が提案する他の金属溶湯の移送装置は、給湯容器から該給湯容器に収容されている溶湯の液面よりも収容されている溶湯の液面が低い受湯容器ヘサイホン現象を利用して金属溶湯を移送する移送装置であって、前記給湯容器に収容されている溶湯の中に吸引口が挿入されていて他端側が上方向に延びる吸入管と、前記受湯容器に収容されている溶湯の中に吐出口が挿入されていて他端側が上方向に延びる吐出管と、吸入管の前記他端側と、吐出管の前記他端側との間を連結する移送管路と、当該移送管路の内部を大気圧より圧力が低い所定の負圧状態に維持する負圧維持機構が当該移送管路に接続されているものである。
【００２９】
この金属溶湯の移送装置を用いた本発明の他の金属溶湯の移送方法は、前記移送管路の内部を大気圧より圧力が低い所定の負圧状態に維持して、給湯容器から該給湯容器に収容されている溶湯の液面よりも収容されている溶湯の液面が低い受湯容器ヘサイホン現象を利用して金属溶湯を移送するものである。
【００３０】
ここで、前記の金属溶湯の移送装置においては、少なくとも前記吸入管における前記他端側の流路断面積が、前記吐出管の流路断面積より大きい状態になっていることが望ましく、また、前記移送管路に、前記移送管路内を流動する金属溶湯の湯面高さを検知する湯面高さ検知手段が備えられており、当該湯面高さ検知手段で検知した前記移送管路内を流動する金属溶湯の湯面高さに応じて、前記負圧維持機構によって維持する前記移送管路の内部の負圧の状態を制御するようになっていることが望ましい。
【発明の効果】
【００３１】
本発明によれば、実用上利用可能なサイホン現象を利用した金属溶湯の移送装置と方法であって、高温の金属溶湯の移送における作業環境を改善し、移送中の金属溶湯への空気の侵入を防止して金属溶湯の酸化を抑制できる金属溶湯の移送装置と方法を提供できる。
【発明を実施するための最良の形態】
【００３２】
以下、本発明の実施形態について図面を参照して説明する。
【実施例１】
【００３３】
まず、図１１、図１２を参照して本発明の第一の方法を説明する。
【００３４】
この本発明の金属溶湯を移送する方法は、給湯容器６１から、給湯容器６１に収容されている溶湯６３の液面６３ａよりも収容されている溶湯６３の液面６３ｂが低い受湯容器６２ヘ、サイホン現象を利用して金属溶湯を移送する方法である。
【００３５】
この方法は、給湯容器６１に収容されている溶湯６３の中に吸引口６４ａが挿入されていて他端側が上方向に延びる吸入管６４と、受湯容器６２に収容されている溶湯６３の中に吐出口６５ａが挿入されていて他端側が上方向に延びる吐出管６５と、吸入管６４の他端側に一方の管６６ａの上側が接続され、吐出管６５の他端側に他方の管６６ｂの上側が接続されるＵ字管６６とを備えた金属溶湯の移送装置を用いて行われる。
【００３６】
そして、吸入管６４の他端側（図１１中、上側）とＵ字管６６の一方の管６６ａの上側との接続部の上部と、吐出管６５の他端側（図１１中、上側）とＵ字管６６の他方の管６６ｂの上側との接続部の上部とをそれぞれ給湯容器６１及び受湯容器６２に収容されている金属溶湯６３が受けている圧力よりも圧力が低い負圧状態に維持し、吸入管６４、Ｕ字管６６、吐出管６５を介して、矢印６９、７０、７１、７２、７３、７４のように、給湯容器６１から受湯容器６２ヘサイホン現象を利用して金属溶湯を移送するものである。
【００３７】
図１１図示の実施形態においては、給湯容器６１及び受湯容器６２に収容されている金属溶湯６３が受けている圧力は大気圧である。そして、図示の状態において、吸入管６４の他端側（図１１中、上側）とＵ字管６６の一方の管６６ａの上側との接続部の上部から矢印６７方向に吸引し、また、吐出管６５の他端側（図１１中、上側）とＵ字管６６の他方の管６６ｂの上側との接続部の上部から矢印６８方向に吸引する。これによって、吸入管６４の他端側（図１１中、上側）とＵ字管６６の一方の管６６ａの上側との接続部の上部の圧力ＰＡ、吐出管６５の他端側（図１１中、上側）とＵ字管６６の他方の管６６ｂの上側との接続部の上部の圧力ＰＢを、それぞれ、大気圧より圧力が低い負圧状態にする。
【００３８】
その上で、更に、吐出管６５の他端側（図１１中、上側）とＵ字管６６の他方の管６６ｂの上側との接続部の上部における負圧ＰＢの方を、吸入管６４の他端側（図１１中、上側）とＵ字管６６の一方の管６６ａの上側との接続部の上部における負圧ＰＡよりも圧力が低い状態に維持する。すなわち、矢印６７、６８方向への吸引を、ＰＢ＜ＰＡとなるように調整し、この状態に、圧力ＰＡ、ＰＢを維持して、吸入管６４、Ｕ字管６６、吐出管６５を介して、矢印６９、７０、７１、７２、７３、７４のように、給湯容器６１から受湯容器６２ヘサイホン現象を利用して金属溶湯を移送するのである。
【００３９】
この場合、例えば、図１２図示のように、図１１に図示したものと同様の金属溶湯の移送装置（給湯容器６１に収容されている溶湯６３の中に吸引口６４ａが挿入されていて他端側が上方向に延びる吸入管６４と、受湯容器６２に収容されている溶湯６３の中に吐出口６５ｂが挿入されていて他端側が上方向に延びる吐出管６５と、吸入管６４の他端側に一方の管６６ａの上側が接続され、吐出管６５の他端側に他方の管６６ｂの上側が接続されるＵ字管６６とを備えている）を用いて、しかも、圧力ＰＡ、ＰＢを大気圧よりも低い負圧状態にしていても、ＰＢ＞ＰＡのようになっている、すなわち、圧力ＰＢの方が、圧力ＰＡより大きい（高い）状態にあると、図１２図示のように、吐出管６５の図１２中、符号８０で示している部分に気体部が形成され、結局、金属溶湯の移送ができなくなる。
【００４０】
これは、背景技術の欄において、図１６を参照して説明したことと同じような原因によるものではないかと思われた。
【００４１】
しかるに、本発明の方法においては、圧力ＰＡ、ＰＢをそれぞれ大気圧（給湯容器６１及び受湯容器６２に収容されている金属溶湯６３が受けている圧力）よりも低い負圧に維持するだけでなく、吐出側における圧力ＰＢの方を、吸引側における圧力ＰＡよりも低い（小さい）圧力にすることによって、図１１図示のような金属溶湯の移送を可能にしたのである。
【実施例２】
【００４２】
次に、本発明の金属溶湯の移送装置を説明する。
【００４３】
図１は本発明の金属溶湯の移送装置の第１の実施形態の概念断面図である。図２は同じく概念制御図である。
【００４４】
本発明の金属溶湯の移送装置６は、給湯容器１から受湯容器５ヘサイホン現象を利用して金属溶湯を移送する移送装置である。特に、図１図示のように、給湯容器１に収容されている給湯２の液面３よりも収容されている溶湯７の液面８が低い受湯容器５ヘサイホン現象を利用して給湯容器１から金属溶湯を移送する移送装置である。
【００４５】
金属溶湯の移送装置６は、主要には、吸入管１０、吐出管１１、Ｕ字管９、第一の吸引手段（真空ポンプ）１６（図２）、第二の吸引手段（真空ポンプ）２２（図２）を備えている。
【００４６】
吸入管１０は、図１図示のように、給湯容器１に収容されている溶湯２の中に吸引口１０ａが挿入されていて他端側が上方向に延びている。
【００４７】
吐出管１１は、受湯容器５に収容されている溶湯７の中に吐出口１１ａが挿入されていて他端側が上方向に延びている。
【００４８】
Ｕ字管９の一方の管９ａの上側は吸入管１０の他端側に接続され、Ｕ字管９の他方の管９ｂの上側は吐出管１１の他端側（図１中、上側）に接続されている。
【００４９】
第一の吸引手段である真空ポンプ１６は、開閉手段である電磁弁１５を介して、吸入管１０の他端側(図１中、上側)とＵ字管９の一方の管９ａの上側との接続部の上方に接続されている（図２）。
【００５０】
図１図示の実施形態では、図２図示のように、Ｕ字管９の一方の管９ａを上側方向に延長した部分の縦管１４に電磁弁１５を介して真空ポンプ１６が接続されている。
【００５１】
ただし、図３図示のように、吸入管１０の他端側とＵ字管９の一方の管９ａの上側とを接続している横管１２に縦管１４を接続し、ここに電磁弁１５を介して真空ポンプ１６を接続する形態にすることもできる。
【００５２】
第二の吸引手段である真空ポンプ２２は、開閉手段である電磁弁２１を介して、吐出管１１の他端側（図１中、上側）とＵ字管９の他方の管９ｂの上側との接続部の上方に接続されている。図１図示の実施形態では、図２図示のように、Ｕ字管９の他方の管９ｂを上側方向に延長した部分の縦管２０に電磁弁２１を介して真空ポンプ２２が接続されている。
【００５３】
なお、図示していないが、吐出管１１の他端側とＵ字管９の他方の管９ｂの上側との接続部の形態を、吸入管１０の他端側（図１中、上側）とＵ字管９の一方の管９ａの上側との接続部の形態のように、吐出管１１の他端側（図１中、上側）とＵ字管９の他方の管９ｂの上側との間を横管によって接続する形態にすることもできる。
【００５４】
同様に、図示していないが、吸入管１０の他端側（図１中、上側）とＵ字管９の一方の管９ａの上側との接続部の形態を、吐出管１１の他端側とＵ字管９の他方の管９ｂの上側との接続部の形態のように、横管を介さない接続形態にすることもできる。
【００５５】
以上説明した本発明の金属溶湯の移送装置６において、前述した第一の吸引手段と、第二の吸引手段とは、吐出管１１の他端側とＵ字管９の他方の管９ｂの上側との接続部の上方における圧力の方が、吸入管１０の他端側とＵ字管９の一方の管９ａの上側との接続部の上方における圧力よりも低く（小さく）なるように制御可能にすることができる。
【００５６】
図１〜図３を用いて以上に説明した本発明の第一の実施形態における金属溶湯の移送装置６を用いた本発明の金属溶湯の移送方法は、次のように実行される。
【００５７】
まず、電磁弁２１を閉鎖することにより、吐出管１１の他端側とＵ字管９の他方の管９ｂの上側との接続部の上方を閉鎖する。そして、この状態で、電磁弁１５を開放して真空ポンプ１６を作動させ、給湯容器１の溶湯２を吸引する。これによって、溶湯が少なくともＵ字管９の底部９ｃを越えて、Ｕ字管９の他方の管９ｂの下側にまで存在するようにする。この状態で真空ポンプ１６による吸引を停止して、電磁弁１５を閉鎖することにより、吸入管１０の他端側とＵ字管９の一方の管９ａの上側との接続部の上方を負圧状態のまま閉鎖する。
【００５８】
具体的には、まず、図４図示のように、電磁弁２１を閉鎖することにより吐出管１１の他端側とＵ字管９の他方の管９ｂの上側との接続部の上方を閉鎖したまま、電磁弁１５を開放して真空ポンプ１６を作動させ、吸入管１０の他端側とＵ字管９の一方の管９ａの上側との接続部の上方の縦管１４から矢印４０ａのように吸引する。
【００５９】
これによって、給湯容器１に収容されている溶湯２は、矢印４１のように吸入管１０内に吸引され、矢印４２、４３、４４のように流動して、少なくともＵ字管９の底部９ｃを越えて、Ｕ字管９の他方の管９ｂの下側にまで到達する。
【００６０】
また、縦管１４の上方に矢印４０ａ方向に吸引されているので、縦管１４内では、溶湯は、例えば、符号５０ａで示す位置まで上昇する。
【００６１】
一方、吐出管１１の他端側とＵ字管９の他方の管９ｂの上側との接続部の上方が閉鎖されているので、受湯容器５からも矢印４５のように溶湯が吸引され、吐出管１１内を上昇する。
【００６２】
この際、吸入管１０における、給湯容器１の溶湯２の湯面３から、吸入管１０の他端側とＵ字管９の一方の管９ａの上側との接続部までの高さＨ１（図１）が、吐出管１１における、受湯容器５の溶湯７の湯面８から、吐出管１１の他端側とＵ字管９の他方の管９ｂの上側との接続部までの高さＨ２（図１）より小さければ（すなわち、Ｈ２＞Ｈ１であれば）、図４図示のように、受湯容器５から吸引された給湯７の上端は吐出管１１内に止まり、その一方、給湯容器１から吸入管１０を介して吸引された溶湯２は、少なくともＵ字管９の底部９ｃを越えて、Ｕ字管９の他方の管９ｂの下側にまで到達する。
【００６３】
次に、図５図示のように、吐出管１１の他端側とＵ字管９の他方の管９ｂの上側との接続部の上方を閉鎖したまま、真空ポンプ１６を停止し、電磁弁１５を開放して、吸入管１０の他端側とＵ字管９の一方の管９ａの上側との接続部の上方を開放する。
【００６４】
これによって、横管１２内に存在していた溶湯は、一方では、矢印４６のように吸入管１０を介して給湯容器１内に戻り、他方では、矢印４３、４４のように流動し、Ｕ字管９の一方の管９ａと、他方の管９ｂ内に、湯面の高さが同一になるようにして残る。
【００６５】
また、図４で吐出管１１内に吸引されていた溶湯は、矢印４７のように受湯容器５内に戻る。
【００６６】
次に、図６図示のように、吐出管１１の他端側とＵ字管９の他方の管９ｂの上側との接続部の上方を閉鎖したまま、再度、電磁弁１５を開放し、真空ポンプ１６を作動させて、吸入管１０の他端側とＵ字管９の一方の管９ａの上側との接続部の上方の縦管１４から矢印４０ａのように吸引する。
【００６７】
これによって、給湯容器１の溶湯２は、吸入管１０内に矢印４１のように吸引される。一方、吐出管１１の他端側とＵ字管９の他方の管９ｂの上側との接続部の上方が閉鎖されているので、受湯容器５からも矢印４５のように溶湯が吸引され、吐出管１１内を上昇する。
【００６８】
そして、Ｕ字管９の他方の管９ｂ内に存在していた溶湯は、矢印４８方向に移動して、管９ｂ内において図５図示の状態より液面の高さが低くなるが、依然として、溶湯が少なくともＵ字管９の底部９ｃを越えて、Ｕ字管９の他方の管９ｂの下側にまで存在している状態が維持される（図６）。
【００６９】
また、縦管１４の上方に矢印４０ａ方向に吸引されているので、縦管１４内では、溶湯は、例えば、符号５０ｂで示す位置まで上昇する。
【００７０】
そして、この図６図示の状態で、状態で真空ポンプ１６による吸引を停止して、電磁弁１５を閉鎖することにより、吸入管１０の他端側とＵ字管９の一方の管９ａの上側との接続部の上方を負圧状態のまま閉鎖するのである。
【００７１】
すなわち、前述した工程のように真空ポンプ１６による吸引を行っていたため、縦管１４内の湯面５０ｂより上側の空間部の圧力は、大気圧より低い負圧状態になっており、この状態で、吸入管１０の他端側とＵ字管９の一方の管９ａの上側との接続部の上方を閉鎖する。
【００７２】
次に、電磁弁２１を開放し、真空ポンプ２２を作動させて、吐出管１１の他端側とＵ字管９の他方の管９ｂの上側との接続部の上方の縦管２０から、矢印４０ｂ方向に吸引する（図７）。
【００７３】
これによって、一方では、吐出管１１を介して受湯容器５の溶湯が矢印４５方向に吸引される（図７）。
【００７４】
また、他方では、Ｕ字管９の他方の管９ｂ及び、Ｕ字管９の一方の管９ａ、吸入管１０の他端側とＵ字管９の一方の管９ａの上側との接続部、吸入管１０を介して給湯容器１から溶湯が矢印４１のように吸引され、Ｕ字管９の他方の管９ｂ内を矢印４４方向に上昇する（図７）。
【００７５】
そして、図７図示のように、吸入管１０、吸入管１０の他端側とＵ字管９の一方の管９ａの上側との接続部、Ｕ字管９の一方の管９ａ、Ｕ字管９の他方の管９ｂ、吐出管１１の他端側とＵ字管９の他方の管９ｂの上側との接続部、吐出管１１内を介して給湯容器１から受湯容器５まで溶湯が連続する。
【００７６】
このとき、吐出管１１の他端側とＵ字管９の他方の管９ｂの上側との接続部の上方の管９ｂから延びている縦管２０内では、矢印４０ｂ方向に吸引されているので、溶湯は、例えば、符号５１ａで示す位置まで上昇する。
【００７７】
一方、吸入管１０の他端側とＵ字管９の一方の管９ａの上側との接続部の上方の管９ａから延びている縦管１４内では、図６図示の状態よりは、若千液面が低くなり、例えば、湯面は、符号５０ｃで示す位置になる。
【００７８】
そして、この縦管１４内における液面５０ｃより上側の空間部分は、前述したとおり、依然として、大気圧よりは圧力が低い負圧状態になっている。
【００７９】
次に、この図７図示の状態で、真空ポンプ２２を停止し、電磁弁２１を閉鎖して吐出管１１の他端側とＵ字管９の他方の管９ｂの上側との接続部の上方を閉鎖する（図８）。
【００８０】
すなわち、前述した工程のように真空ポンプ２２による吸引を行っていたため、縦管２０内の湯面５１ａより上側の空間部の圧力は、大気圧より低い負圧状態になっており、この状態で、吐出管１１の他端側とＵ字管９の他方の管９ｂの上側との接続部の上方を閉鎖する。
【００８１】
これによって、図７図示のように、給湯容器１から受湯容器５まで、吸入管１０、吸入管１０の他端側とＵ字管９の一方の管９ａの上側との接続部、Ｕ字管９の一方の管９ａ、Ｕ字管９の他方の管９ｂ、吐出管１１の他端側とＵ字管９の他方の管９ｂの上側との接続部、吐出管１１内を介して給湯が連続していたので、サイホン現象により、図８図示のように、給湯容器１に収容されている溶湯２の液面３よりも、収容されている溶湯７の液面８が低い受湯容器５へ、溶湯が矢印４１、４２、４３、４４、４７のように流動していく。
【００８２】
このサイホン現象による給湯容器１から受湯容器５への金属溶湯移送の過程では、図８図示のように、縦管２０内の液面は、例えば、符号５１ａで示すように、図７図示の液面の状態よりは若干低下することがあり得るが、前述したように、吐出管１１の他端側とＵ字管９の他方の管９ｂの上側との接続部の上方（縦管２０の符号２０ａで示されている空間部分）は負圧状態に維持されている。また、縦管１４内の液面は、例えば、符号５０ｄで示すように、図７図示の液面の状態よりは若干低下することがあり得るが、前述したように、吸入管１０の他端側とＵ字管９の一方の管９ａの上側との接続部の上方（縦管１４の符号１４ａで示されている空間部分）は負圧状態に維持されている。
【００８３】
特に、前述した工程を経てきたことにより、吐出管１１の他端側とＵ字管９の他方の管９ｂの上側との接続部の上方における圧力（負圧状態にある）の方が、吸入管１０の他端側とＵ字管９の一方の管９ａの上側との接続部の上方における圧力（負圧状態にある）よりも低く（小さく）維持されている。
【００８４】
そこで、給湯容器１から受湯容器５へのサイホン現象による金属溶湯の移送は、図８図示のように、吸入管１０の吸引口１０ａが給湯容器１に収容されている溶湯２の中に、吐出管１１の吐出口１１ａが受湯容器５に収容されている溶湯７の中にそれぞれ挿入されていて、なおかつ、受湯容器５に収容されている溶湯７の液面８の方が、給湯容器１に収容されている溶湯２の液面３より低い限り、いつまでも安定して行われる。
【００８５】
そこで、例えば、給湯容器１を、高温の金属溶湯（例えば、温度約８４０℃程度のアルミニウムの溶湯）をその高温溶融の状態で運搬する専用車両に配備されていて、高温の金属溶湯を収容している溶湯保持器、受湯容器５を、工場などの地下に配置されていて、高温の金属溶湯（例えば、温度約８４０℃程度のアルミニウムの溶湯）を収容する保持炉とすれば、前記の専用車両の溶湯保持器から、工場の保持炉へ、安全に、かつ、高温の金属溶湯を大気に接触させることなく、穏やかに、専用車両の溶湯保持器内の金属溶湯全量を工場の保持炉へ移送することができる。
【００８６】
なお、前述したサイホン現象による給湯容器１から受湯容器５への金属溶湯移送を中止させる必要があるときには、例えば、電磁弁１５あるいは電磁弁２１の何れかを開放して、吸入管１０の他端側とＵ字管９の一方の管９ａの上側との接続部の上方を大気圧状態に開放する、あるいは、吐出管１１の他端側とＵ字管９の他方の管９ｂの上側との接続部の上方を大気圧状態に開放すればよい。
【００８７】
そして、この状態から、前述したサイホン現象による給湯容器１から受湯容器５への金属溶湯の移送を再開させるには、図４〜図８を用いて説明した前述の工程を実行すればよい。
【００８８】
本発明の金属溶湯の移送装置においては、例えば、第一の吸引手段である真空ポンプ１６の接続経路に、電磁弁１８を介して不活性ガスを供給する不活性ガス供給手段２０を接続することができる。
【００８９】
これによって、電磁弁１５、２１の開閉制御及び、電磁弁１８の開閉制御、不活性ガス供給手段２０の制御を行って、前述した本発明の金属溶湯の移送を実施する前に、吸入管１０、吸入管１０の他端側とＵ字管９の一方の管９ａの上側との接続部、縦管１４、Ｕ字管９の一方の管９ａ、Ｕ字管９の他方の管９ｂ、吐出管１１の他端側とＵ字管９の他方の管９ｂの上側との接続部、縦管２０、吐出管１１内から空気を追い出し、これらの中に不活性ガスが充填されている状態にしてから、前述した本発明の金属溶湯の移送を実施すれば、高温の金属溶湯を大気に接触させることなく、給湯容器１から受湯容器５へ移送することができる。
【００９０】
また、給湯容器１及び受湯容器５や、吸入管１０、吸入管１０の他端側とＵ字管９の一方の管９ａの上側との接続部、縦管１４、Ｕ字管９の一方の管９ａ、Ｕ字管９の他方の管９ｂ、吐出管１１の他端側とＵ字管９の他方の管９ｂの上側との接続部、縦管２０、吐出管１１の外周には、断熱材を装着しておくことができる。
【００９１】
図９は、本発明の金属溶湯の移送装置６の他の例を説明するものである。
【００９２】
吸入管１０の他端側とＵ字管９の一方の管９ａの上側との接続部の上方に覗き窓２５が配備され、吐出管１１の他端側とＵ字管９の他方の管９ｂの上側との接続部の上方に覗き窓２６が配備されている点を除けば、図１〜図８を用いて説明した本発明の金属溶湯の移送装置６及び、これを用いた本発明の金属溶湯の移送方法と同一であるので、両者に共通する部分に共通する符号を付けてその説明は省略する。
【００９３】
覗き窓２５、２６は、図示の実施形態では、筒状で形成され、筒内に耐熱ガラスが装填されている。
【００９４】
吸入管１０の他端側とＵ字管９の一方の管９ａの上側との接続部及び、吐出管１１の他端側とＵ字管９の他方の管９ｂの上側との接続部では、金属溶湯は水平方向に流動しているが、前述したように、これらの接続部における空間部１４ａ、２０ａは、大気圧よりも圧力状態が低い負圧になっているので、図９図示のように、吸入管１０の吸引口１０ａが給湯容器１に収容されている溶湯２の中に、吐出管１１の吐出口１１ａが受湯容器５に収容されている溶湯７の中にそれぞれ挿入されていて、なおかつ、受湯容器５に収容されている溶湯７の液面８の方が、給湯容器１に収容されている溶湯２の液面３より低い限り、サイホン現象によって、給湯容器１から受湯容器５へ金属溶湯が安定して移送される。
【００９５】
そして、この移送の過程において、覗き窓２５、２６から移送状態を確認することができる。
【実施例３】
【００９６】
図１３〜図１５を用いて、本発明の他の金属溶湯の移送装置及び、方法を説明する。
【００９７】
なお、図１〜図１２を用いて説明した本発明の他の金属溶湯の移送装置及び方法と共通する部分には共通する符号をつけてその説明を省略する。
【００９８】
図１３〜図１５図示の本発明の金属溶湯の移送装置は、給湯容器６１に収容されている溶湯６３の中に吸引口６４ａが挿入されていて他端側が上方向に延びる吸入管６４と、受湯容器６２に収容されている溶湯６３の中に吐出口６５ａが挿入されていて他端側が上方向に延びる吐出管６５と、吸入管６４の前記他端側と、吐出管６５の前記他端側との間を連結する移送管路９０とを備えている。
【００９９】
そして、移送管路９０の内部を大気圧より圧力が低い所定の負圧状態に維持する負圧維持機構が移送管路９０に接続されている。
【０１００】
負圧維持機構は開閉可能な弁体である電磁バルブ９１と、吸引手段である真空ポンプ９２とから構成することができる。図示の実施形態では、真空ポンプ９２が、パイプ９６を介して移送管路９０に接続されており、このパイプ９６の途中に、電磁バルブ９１が配備されている。
【０１０１】
図１３図示の本発明の金属溶湯の移送装置を用いた、本発明の金属溶湯の移送方法を説明する。
【０１０２】
電磁バルブ９１を開き、真空ポンプ９２を駆動させて、矢印９３ａ方向に吸引する。これによって、給湯容器６１側からは溶湯６３が、吸入管６４内を矢印９３ｂ方向に吸引され、受湯容器６２側からは溶湯６３が、吐出管６５内を矢印９３ｃ方向に吸引される（図１３（ａ））。
【０１０３】
こうして、給湯容器６１側から吸入管６４内を矢印９３ｂ方向に吸引されてきた溶湯６３と、受湯容器６２側から吐出管６５内を矢印９３ｃ方向に吸引されてきた溶湯６３とが、移送管路９０内において矢印９３ｄ方向、矢印９３ｅ方向から合流した時点で（図１３（ｂ））、真空ポンプ９２による矢印９３ａ方向への吸引を停止し、電磁バルブ９１を閉鎖する。
【０１０４】
これによって、図１３（ｂ）において符号９４ａで示されている移送管路９０の内部空間９４の上部側部分は、液面６３ａ、６３ｂが受けている大気圧よりも圧力が低い負圧状態に維持される。
【０１０５】
このように、移送管路９０の内部を大気圧より圧力が低い所定の負圧状態に維持して、図１３（ｂ）図示のように、給湯容器６１から給湯容器６１に収容されている溶湯６３の液面６３ａよりも収容されている溶湯６３の液面６３ｂが低い受湯容器６２ヘ、矢印９３ｂ、９３ｆ、９３ｇのように、サイホン現象を利用して金属溶湯を移送するものである。
【０１０６】
図１３図示の実施形態においては、吸入管６４の流路断面積と、吐出管６５の流路断面積とは同一になっている。
【０１０７】
このため、矢印９３ｂ、９３ｆ、９３ｇのような、サイホン現象を利用した給湯容器６１から受湯容器６２ヘの金属溶湯の移送が行なわれているときに、符号９５で示されている、吸入管６４の他端側（図１３（ｂ）中、上側）と、移送管路９０との接続部において、乱流状態が生じることがある。
【０１０８】
図１４図示の実施形態はこのような乱流が生じることを防止するものである。
【０１０９】
図１４図示の実施形態では、少なくとも吸入管６４における他端側（図１４中、上側）の部分６４ｂの流路断面積が、吐出管６５の流路断面積より大きくなっている。
【０１１０】
このような構造にすると、図１３（ｂ）、（ｃ）で説明した乱流が発生することなく、図１４（ｂ）、（ｃ）図示のように、矢印９３ｂ、９３ｆ、９３ｇのような、サイホン現象を利用した給湯容器６１から受湯容器６２ヘの金属溶湯の移送が穏やかに継続されるので有利である。
【０１１１】
なお、図１４図示の実施形態では、少なくとも吸入管６４における他端側（図１４中、上側）の部分６４ｂの流路断面積が、吐出管６５の流路断面積より大きくなるようにしたが、吸入管６４の吸入口６４ａ側の部分６４ｃも含めて、吐出管６５の全長にわたって、その流路断面積が、吐出管６５の流路断面積より大きいようにしても、同様の作用・効果が発揮される。
【０１１２】
図１４図示の実施形態におけるその他の構造、機能に関しては、図１３を用いて説明した場合と同様であるので、共通する部分には共通する符号をつけてその説明を省略する。
【０１１３】
図１５図示の実施形態は、移送管路９０に、移送管路９０内を流動する金属溶湯の湯面高さを検知する湯面高さ検知手段９７が備えられているものである。
【０１１４】
この湯面高さ検知手段９７で検知した移送管路９０内を流動する金属溶湯の湯面高さに応じて、前述した負圧維持機構によって維持する移送管路９０の内部の負圧の状態を制御するものである。
【０１１５】
たとえば、湯面高さ検知手段９７により、移送管路９０内を流動する金属溶湯の湯面高さが所定の高さになったことを検知できるまで、電磁バルブ９１を開いて、真空ポンプ９２による吸引を継続し、湯面高さ検知手段９７により、移送管路９０内を流動する金属溶湯の湯面高さが所定の高さになったことを検知できた時点で、電磁バルブ９１を閉鎖すると共に、真空ポンプ９２による吸引を停止し、湯面高さ検知手段９７により、移送管路９０内を流動する金属溶湯の湯面高さが所定の高さより低くなったことを検知できた時点で、電磁バルブ９１を開き、真空ポンプ９２による吸引を開始するようにするものである。
【０１１６】
図１５図示の実施形態におけるその他の構造、機能に関しては、図１３、図１４を用いて説明した場合と同様であるので、共通する部分には共通する符号をつけてその説明を省略する。
【０１１７】
また、図１５では、図１４図示の実施形態において、移送管路９０に湯面高さ検知手段９７が備えられている実施形態を説明しているが、図１３図示の実施形態において、移送管路９０に湯面高さ検知手段９７を備えらるようにしても同様の作用・効果を発揮させることができる。
【０１１８】
以上、本発明の好ましい実施形態を添付図面を参照して説明したが、本発明はかかる実施形態に限定されるものではなく、特許請求の範囲から把握される技術的範囲において、種々の形態に変更可能である。
【０１１９】
例えば、図１〜図９図示の実施形態では、吐出管１１の他端側とＵ字管９の他方の管９ｂの上側との接続部の垂直方向高さ位置が、吸入管１０の他端側とＵ字管９の一方の管９ａの上側との接続部の垂直方向高さ位置より低かったが、図１０図示のように両者の高さ位置を同一にすることもできる。
【０１２０】
また、前述し、図１、図１０、図１１、図１３〜図１５に図示した実施形態で説明した吸入管、Ｕ字管、吐出管の形態をしていれば、特にパイプ状のものでこれらが形成されている必要はないので、セラミック材などの耐火材からなる構造物をくり貫き加工する等々して、図１、図１０、図１１、図１３〜図１５に図示した実施形態の形態を有する吸入管、Ｕ字管、吐出管に相当する金属溶湯の流動路を形成することもできる。
【図面の簡単な説明】
【０１２１】
【図１】本発明の金属溶湯の移送装置の第１の実施形態の概念断面図。
【図２】図１図示の金属溶湯の移送装置の概念制御図。
【図３】図１図示の金属溶湯の移送装置の他の実施形態を説明する概念断面図。
【図４】図１図示の金属溶湯の移送装置を用いた本発明の金属溶湯の移送方法の一例における初期工程を説明する図。
【図５】図１図示の金属溶湯の移送装置を用いた本発明の金属溶湯の移送方法の一例における図４図示の工程の次の工程を説明する図。
【図６】図１図示の金属溶湯の移送装置を用いた本発明の金属溶湯の移送方法の一例における図５図示の工程の次の工程を説明する図。
【図７】図１図示の金属溶湯の移送装置を用いた本発明の金属溶湯の移送方法の一例における図６図示の工程の次の工程を説明する図。
【図８】図１図示の金属溶湯の移送装置を用いた本発明の金属溶湯の移送方法の一例における図７図示の工程の次の工程であって、サイホン現象によって、給湯容器から受湯容器へ金属溶湯が移送されている状態を説明する図。
【図９】本発明の金属溶湯の移送装置の第２の実施形態の概念断面図。
【図１０】本発明の金属溶湯の移送装置の第３の実施形態の概念断面図。
【図１１】本発明の金属溶湯の移送方法の一例を説明する概念断面図。
【図１２】吸入管、吐出管における上部の負圧状態の制御に不備が生じて金属溶湯の移送が困難になる場合を説明する概念断面図。
【図１３】本発明の他の金属溶湯の移送装置及び移送方法を説明するものであって、（ａ）は金属溶湯の移送動作開始前の概略構成を説明する概念断面図、（ｂ）は金属溶湯が移送されている状態を説明する概念断面図、（ｃ）は図１３（ｂ）における吸入管の上部側と移送管路との接続部の状態を説明する図。
【図１４】図１３図示の実施形態の他の実施例を説明するものであって、（ａ）は金属溶湯の移送動作開始前の概略構成を説明する概念断面図、（ｂ）は金属溶湯が移送されている状態を説明する概念断面図、（ｃ）は図１４（ｂ）における吸入管の上部側と移送管路との接続部の状態を説明する図。
【図１５】図１４図示の実施形態の他の実施例を説明するものであって、（ａ）は金属溶湯の移送動作開始前の概略構成を説明する概念断面図、（ｂ）は金属溶湯が移送されている状態を説明する概念断面図、（ｃ）は図１５（ｂ）における吸入管の上部側と移送管路との接続部の状態を説明する図。
【図１６】サイホン現象を利用して移送を行おうとする従来の方法を説明する概念断面図。
【符号の説明】
【０１２２】
１  給湯容器
２、７  金属溶湯
５  受湯容器
６  金属溶湯の移送装置
９  Ｕ字管
９ａ  Ｕ字管の一方の管
９ｂ  Ｕ字管の他方の管
９ｃ  Ｕ字管の底部
１０  吸入管
１０ａ  吸入口
１１  吐出管
１１ａ  吐出口
１２  横管
１４  縦管
１４ａ  空間部(負圧部)
２０  縦管
２０ａ  空間郎（負圧部）
１５、１８、２１  電磁弁
１６、２２  真空ポンプ
２０  不活性ガス供給装置
６１  給湯容器
６２  受湯容器
６３  溶湯（金属溶湯）
６３ａ  液面
６３ｂ  液面
６４  吸入管
６４ａ  吸引口
６５  吐出管
６５ａ  吐出口
６６  Ｕ字管
６６ａ  Ｕ字管の一方の管
６６ｂ  Ｕ字管の他方の管
【図１】
2007061906.tif 000003
【図２】
2007061906.tif 000004
【図３】
2007061906.tif 000005
【図４】
2007061906.tif 000006
【図５】
2007061906.tif 000007
【図６】
2007061906.tif 000008
【図７】
2007061906.tif 000009
【図８】
2007061906.tif 000010
【図９】
2007061906.tif 000011
【図１０】
2007061906.tif 000012
【図１１】
2007061906.tif 000013
【図１２】
2007061906.tif 000014
【図１３】
2007061906.tif 000015
【図１４】
2007061906.tif 000016
【図１５】
2007061906.tif 000017
【図１６】
2007061906.tif 000018